(57)【要約】  【課題】持ち運びしやすい状態を実現しつつ好適な使用状態を実現し得る天板付家具を提供する。  【解決手段】販売用ワゴンＷは、一対の天板部材１０を有し天板部材１０の任意の面を面一な状態で接合させた天板面１ａを形成し得る使用姿勢（Ｔ）、及び天板部材１０を重合させた重合姿勢（Ｃ）をとり得る天板部１と、使用姿勢（Ｔ）において天板部材１０における接合部１０ａに形成されたキャスタ格納空間１００に格納され前記重合姿勢（Ｃ）において外方へ露出し接地し得るキャスタ部４とを少なくとも具備する。  【選択図】図１
2008061662.tif 000002
【特許請求の範囲】
【請求項１】
複数の天板部材を有し当該天板部材の任意の面を面一な状態で接合させた天板面を形成し得る使用姿勢及び前記天板部材を重合させた重合姿勢をとり得る天板部と、
前記使用姿勢において前記天板部材における接合部に形成されたキャスタ格納空間に格納され前記重合姿勢において外方へ露出し接地し得る、少なくともキャスタを有するキャスタ部とを具備することを特徴とする天板付家具。
【請求項２】
前記天板部を一対の前記天板部材を有するものとし、前記キャスタ部を少なくとも一方の天板部材に取り付けた前記キャスタを具備するものとしている請求項１記載の天板付家具。
【請求項３】
前記キャスタ部には、他方の天板部材に前記キャスタに対して位相を異ならせて取り付けた接地部を設けている請求項２記載の天板付家具。
【請求項４】
前記一対の天板部材における厚み寸法を等しくするとともに、
前記天板部を、前記接合部における前記天板面の裏面側に前記一対の天板部材を回動可能に接続するヒンジを有するものとしている請求項１、２又は３記載の天板付家具。
【請求項５】
前記重合姿勢において前記収容空間に収容され且つ前記使用姿勢において前記天板部に取り付けられ展示物を展示得る展示部をさらに具備するとともに、
前記天板部を前記重合姿勢において前記複数の天板部材間に前記展示部を収容し得る収容空間を有するものとしている請求項１、２、３又は４記載の天板付家具。
【請求項６】
前記展示部を、前記展示物を吊り掛けた状態で支持し得るフックを取り付け得るフック取付板を有するものとしている請求項５記載の天板付家具。
【請求項７】
前記展示部を、前記展示物を載置し得る棚板を有する棚部を具備するものとしている請求項５又は６記載の天板付家具。
【請求項８】
前記使用姿勢において前記天板部を下方より支持し得る脚部をさらに具備するとともに、
前記天板部を前記重合姿勢において前記複数の天板部材間に前記脚部を収容し得る収容空間を有するものとしている請求項１、２、３、４、５、６又は７記載の天板付家具。
【請求項９】
前記脚部を複数の脚部材を有するものとし、
前記天板部材を前記使用姿勢において前記脚部材を当該天板部材の周縁部に取り付け得る脚取付部を有するものとしている請求項８記載の天板付家具。
【請求項１０】
前記脚部を、前記脚部材間を架設する架設材を有するものとしている請求項９記載の天板付家具。
【発明の詳細な説明】
【技術分野】
【０００１】
本発明は、不使用時には嵩張らない態様として好適に運搬することができる組み立て式の天板付家具に関するものである。
【背景技術】
【０００２】
従来、主に組み立て式の天板付家具については、運搬時や不使用時には天板面を有する筐体内に脚等の部品を収納することにより、非使用時には嵩張らない態様とすることができ、持ち運びがし易い天板付家具が種々提案されている（例えば、特許文献１参照）。
【特許文献１】特開平１０−１６５２２９号公報
【発明の開示】
【発明が解決しようとする課題】
【０００３】
しかしながら、上述の特許文献のものでは、嵩張らない態様として収容することができても天板付家具自体の大きさによってはその重量全体を持ち運ぶには労力を要求されてしまう場合が生じてしまう。
【０００４】
そこで、使用者の運搬に係る労力の軽減を図る一案として、持ち運びの際に接地し得る位置にキャスタを設けることが考えられる。
【０００５】
しかし、上述の文献のようなものに対してキャスタを設けるとなると、天板部材の側面にキャスタを取り付けることとなる。そうなると、斯かる天板付家具を組み立てて使用するときには、取り付けたキャスタが天板の側面から露出した状態となり、使用の際に邪魔となる不具合が生じてしまう。特に、天板付家具が例えば天板上に販売用の展示物を載置するようなものであれば、天板付家具を使用して店舗を構成する際には、特に上述の不具合を単に天板付家具の使用者のみならず、店舗を訪れる顧客等に対しても同様に感じさせることとなってしまう。
【０００６】
本発明は、このような不具合に着目したものであり、持ち運びしやすい状態を実現しつつ好適な使用状態を実現し得る天板付家具を提供する。
【課題を解決するための手段】
【０００７】
本発明は、このような目的を達成するために、次のような手段を講じたものである。すなわち、本発明に係る天板付家具は、複数の天板部材を有し当該天板部材の任意の面を面一な状態で接合させた天板面を形成し得る使用姿勢及び前記天板部材を重合させた重合姿勢をとり得る天板部と、前記使用姿勢において前記天板部材における接合部に形成されたキャスタ格納空間に格納され前記重合姿勢において外方へ露出し接地し得る、少なくともキャスタを有するキャスタ部とを具備することを特徴とする。
【０００８】
このようなものであれば、重合姿勢においてキャスタ部を接地させた状態で天板付家具を好適に運搬することができるとともに、使用姿勢ではキャスタ部はキャスタ格納空間に格納されることにより外方へ露出しない状態とすることができるので、当該天板付家具を使用する使用者、或いは天板付家具の付近を通行する他の者に対してキャスタが天板付近に露出されることによる不具合を感じさせることを有効に回避することが可能となる。
【０００９】
一方の天板部材側に天板部を傾倒させることによりキャスタによって好適に移動させ得るものとするためには、天板部を一対の天板部材を有するものとし、キャスタ部を一方の天板部材に取り付けたキャスタを有するものとすれば望ましい。さらに、キャスタ部を接地させたときに好適に静置させ得る構成として、他方の天板部材にキャスタに対して位相を異ならせて取り付けた接地部を設けた構成することが好ましい。
【００１０】
重合姿勢と使用姿勢とを簡単な操作で切り換え得る構成とするためには、一対の天板部材における厚み寸法を等しくするとともに、天板部を、接合部における天板面の裏面側に一対の天板部材を回動可能に接続するヒンジを設けることが望ましい。
【００１１】
特に、重合姿勢において前記収容空間に収容され且つ前記使用姿勢において前記天板部に取り付けられ展示物を展示得る展示部をさらに具備している、いわゆる販売用ワゴンのようなものに本発明を適用する好適な態様として、天板部を重合姿勢において複数の天板部材間に展示部を収容し得る収容空間を有するものを挙げることができる。
【００１２】
そして、展示部の具体的な態様として、当該展示部を、展示物を吊り掛けた状態で支持し得るフックを取り付け得るフック取付板を有するものとする態様や、展示物を載置し得る棚板を有する棚部を具備するものとする態様を挙げることができる。
【００１３】
加えて、使用姿勢において前記天板部を下方より支持し得る脚部をさらに具備するものにおいても、天板部を前記重合姿勢において前記複数の天板部材間に前記脚部を収容し得る収容空間を有するもの、すなわち上述同様の収容空間に脚部を結うようする態様とすることが望ましい。
【００１４】
斯かる脚部の具体的な態様として、天板を安定して支持し得るものとするためには、脚部を複数の脚部材を有するものとし、天板部材を使用姿勢において脚部材を当該天板部材の周縁部に取り付け得る脚取付部を有するものとすることが望ましい。また、脚部自体の強度を高めることにより天板を安定して支持し得るための構成としては、脚部を、脚部材間を架設する架設材を有するものとすることが好ましい。
【発明の効果】
【００１５】
本発明によれば、重合姿勢において天板付家具をキャスタ部によって好適に運搬し得るとともに、使用姿勢ではキャスタ部はキャスタ格納空間に格納されて外方へ露出しない状態となるので、当該天板付家具を使用する使用者、或いは天板付家具の付近を通行する他の者に対してキャスタが天板付近に露出されることによる不具合を感じさせることを有効に回避することが可能となる。
【発明を実施するための最良の形態】
【００１６】
以下、本発明に係る天板付家具に係る実施の形態として、販売用ワゴンＷを一例として挙げ、図面を参照して説明する。
【００１７】
なお本発明はこのような販売用ワゴンＷに限定されることはなく、天板を有している種々の天板付家具に対して広く適用し得るものである。
【００１８】
販売用ワゴンＷは、図１及び図２に示すように、天板部１と、展示部２と、脚部３とを主に有しており、図１に示す使用姿勢（Ｔ）において展示部２に図示しない展示物を好適に展示したり、或いは天板面１ａ上に展示物を好適に展示し得るものである。そして図５、図６、図７及び図８に示す重合姿勢（Ｃ）において、一対の天板部材１０によって形成された収容空間Ｓ内に脚部３、展示部２を分解した後述する各構成要素を収容することができるものである。
【００１９】
ここで、本実施形態に係る天板付家具たる販売用ワゴンＷは、一対の天板部材１０を有し天板部材１０の任意の面を面一な状態で接合させた天板面１ａを形成し得る使用姿勢（Ｔ）、及び天板部材１０を重合させた重合姿勢（Ｃ）をとり得る天板部１と、使用姿勢（Ｔ）において天板部材１０における後述する接合部１０ａに形成された後述するキャスタ格納空間１００に格納され前記重合姿勢（Ｃ）において外方へ露出し接地し得る後述するキャスタ部４とを少なくとも具備することを特徴とするものである。
【００２０】
以下、販売用ワゴンＷを構成する各構成要素について具体的に説明する。
【００２１】
展示部２は、図１、図２及び図３に示すように、天板面１ａ上に立設される一対の支柱２１と、支柱２１間に取り付けられ展示物を掛け吊して展示し得るフックｆを取り付けるフック取付板２５と、支柱２１の上端を架設する横架部２６とを有している。支柱２１は、天板面１ａに取り付けられる下支柱部材２２と、上下に二本連結した状態でフック取付板２５を取り付け得る中支柱部材２３と、中支柱部材２３の上部に取り付けて横架部２６を取り付け得る上支柱部材２４とを有している。フック取付板２５は支柱２１間に横方向に三枚連結した状態で設けられており、矩形状の枠材の内側に例えば金属製且つ升目状の金網部材を取り付け、前記升目の任意の箇所にフックｆを取り付け得るように構成しているものである。横架部２６は上支柱部材２４の上端に止めねじ２７ａを用いて取り付ける横架材２７と、横架材２７に取り付ける旗状の表示部２８とを有しており、図示しないが表示部２８には実際には種々の文字等が描かれている。
【００２２】
脚部３は、図１、図２及び図３に示すように、使用姿勢（Ｔ）において天板部１を下方より支持し得るものであり、天板部材１０に直接取り付けられる計６本の脚部材３０と、各脚部材３０間に上下に架設される架設材３３と、脚部材３０並びに架設材３３とによって囲まれた矩形状の部分に取り付け天板部１下方の空間を遮蔽し得る幕布３６とを有している。脚部材３０は、天板部１のそれぞれ周縁部に沿う位置に接続する上脚部材３１と、上脚部材３１に接続し下端において接地する下脚部材３２とによって構成されており、各脚部材３０は一対の天板部材１０に対して各３本取り付けられている。架設材３３は、天板面１ａの直線部分に沿って脚部材３０に架設される主架設材３４と、天板面１ａの湾曲部分に沿って架設される湾曲架設材３５とを有しており、これら主架設材３４及び湾曲架設材３５は、脚部材３０の下端付近にそれぞれ架設されているものである。幕布３６は、脚部材３０と、主架設材３４との間に取り付ける主幕布３７と、脚部材３０と湾曲架設材３５との間に取り付ける側幕布３８とを有している。
【００２３】
天板部１は、一対の略同形状をなす天板部材１０と、当該天板部材１０同士を接続するヒンジ１０ｈとを主に有している。また、天板部１は、ヒンジ１０ｈを開けて天板部材１０同士を連続させる図１、図２及び図３に示す使用姿勢（Ｔ）と、ヒンジ１０ｈを閉めて天板部材１０同士を重合させる図４、図５、図６、図７及び図８に示す重合姿勢（Ｃ）とをとり得るものである。そして本実施形態では、使用姿勢（Ｔ）において天板部材１０同士が接続する箇所を接合部１０ａとしている。
【００２４】
天板部材１０は、特に図１及び図４に示すように、使用姿勢（Ｔ）において天板面１ａを構成し得る天板壁１１と、天板壁１１の周縁に位置する周壁１４と、接合部１０ａ付近において天板壁１１と周壁１４とを接続する底壁１６と、底壁１６に接続して設けられている端壁１９とを有している。天板壁１１は外面側に上述した展示部２の下支柱部材２２を取り付け得る支柱取付穴１２と、内面側周縁部分において脚部３の上脚部材３１を取り付け得る破線で示す脚取付穴１３とを有している。周壁１４は、湾曲した部分における略中央に把手１５を有している。ここで各天板部材１０における周壁１４の立ち上がり寸法を等しく設定することによって、一対の天板部材１０における厚み寸法を等しているので、ヒンジ１０ｈの操作のみで面一な天板面１ａを構成し得るものとなっている。底壁１６は、接合部１０ａ側に面する面において、一方の天板部材１０側にキャスタ取付部１７を有するとともに、他方の天板部材１０側には接地部取付部１８を有している。そして当該キャスタ取付部１７と接地部取付部１８はそれぞれ位相を異ならせて設けている。端壁１９は端面においてヒンジ１０ｈを取り付けている。
【００２５】
キャスタ部４は、図４、図５、図６、図７及び図８に示すように、一方及び他方の天板部材１０の底壁１６に、それぞれ位相を異ならせて取り付けたキャスタ４０と、接地部４１とを有しているものである。しかし本発明に係るキャスタ部４は当該キャスタ４０と接地部４１に限定されるものではなく、例えば両方の天板部材１０にそれぞれ２つずつ計４つのキャスタを、同様に位相を異ならせて取り付けたものであってもよい。この場合、取り付けるキャスタは、旋回可能な態様のものを採用することが望ましい。
【００２６】
ここで本実施形態において、上述の接合部１０ａとは、図に示す使用姿勢（Ｔ）において、底壁１６から立ち上がる天板壁１１、周壁１４、そして端壁１９の端面によって構成された箇所を指すものである。
【００２７】
また天板部１は、図４、図５、図６、図７及び図８に示す重合姿勢（Ｃ）において、上述の通り展示部２を脚部３とを収容し得る収容空間Ｓを構成し得るものである。具体的には、本実施形態に係る収容空間Ｓとは、図に示すように、天板壁１１、周壁１４及び底壁１６によって包囲されることによって構成されるものである。
【００２８】
しかして本実施形態に係る販売用ワゴンＷでは、天板部１を図１、図２及び図３に示す使用姿勢（Ｔ）をした際に、接合部１０ａにおいて一対の天板部材１０を接合させることによりキャスタ格納空間１００を形成し得るものとなっている。
【００２９】
キャスタ格納空間１００は、図２に特に示すように、使用姿勢（Ｔ）において、底壁１６と、当該底壁１６から接合部１０ａに向けて立ち上がる、上述の接合部１０ａを具体的に構成する天板壁１１、周壁１４及び端壁１９によって包囲される直方体状の空間であり、使用姿勢（Ｔ）において当該キャスタ格納空間１００にキャスタ部４を収容させることにより、当該使用姿勢（Ｔ）ではキャスタ４０を外方に露出させることを有効に回避し得たものとなっている。
【００３０】
以上のような構成とすることにより、本実施形態に係る天板付家具である販売用ワゴンＷは、天板部材１０における接合部１０ａに形成されたキャスタ格納空間１００に格納され前記重合姿勢（Ｃ）において外方へ露出し接地し得るキャスタ部４とを少なくとも具備することを特徴としているので、重合姿勢（Ｃ）においてキャスタ部４を接地させた状態で天板付家具を好適に運搬することができるとともに、使用姿勢（Ｔ）ではキャスタ部４はキャスタ格納空間１００に格納されることにより外方へ露出しない状態とすることができるので、この販売用ワゴンＷを使用する使用者、或いは天板付家具の付近を通行する他の者に対してキャスタ４０が天板面１ａ付近に露出されることによる不具合を感じさせることを有効に回避することが可能となる。
【００３１】
そして、一方の天板部材１０側に天板部１を傾倒させることによりキャスタ４０によって好適に移動させ得るものとするため、天板部１を一対の天板部材１０を有するものとし、キャスタ部４を一方の天板部材１０に取り付けたキャスタ４０を有するものとしている。また具体的には、キャスタ部４には、他方の天板部材１０にキャスタ４０に対して位相を異ならせて取り付けた接地部４１を設けて、接地させたときに好適に静置させ得るものとしている。
【００３２】
一対の天板部材１０における厚み寸法を等しくするとともに、天板部１を、接合部１０ａにおける天板面１ａの裏面側に一対の天板部材１０を回動可能に接続するヒンジ１０ｈを設けることにより、重合姿勢（Ｃ）と使用姿勢（Ｔ）とをヒンジ１０ｈの開閉動作のみという簡単な操作で切り換え得るものとなっている。
【００３３】
特に本実施形態では、重合姿勢（Ｃ）において収容空間Ｓに収容し、且つ使用姿勢（Ｔ）において前記天板部１に取り付けられ展示部２を展示し得る展示部２を設け、本発明に係る天板付家具をいわゆる販売用ワゴンＷへと好適に適用し得たものとなっている。そして本実施形態では、展示部２の具体的な態様として、この展示部２を、展示物を吊り掛けた状態で支持し得るフックｆを取り付け得るフック取付板２５によって展示物を好適に展示し得る態様を実現している。
【００３４】
加えて、脚部３も収容空間Ｓに収容し得る構成として、重合姿勢（Ｃ）において天板部１内に販売用ワゴンＷの構成部品全てを収納して容易に運搬し得る態様を実現している。
【００３５】
また脚部３の具体的な態様として、コンパクトに収容し得る構成を実現しながら天板部１を安定して支持し得るものとするためには、脚部３を複数の脚部材３０を有するものとし、天板部材１０を使用姿勢（Ｔ）において脚部材３０を脚取付穴１３を当該天板部材１０の周縁部に取り付けている。また、脚部材３０間を架設する架設材３３を設けて脚部３自体の強度を高めた構成を採用している。
【００３６】
以上、本発明の実施形態について説明したが、各部の具体的な構成は、上述した実施形態のみに限定されるものではなく、本発明の趣旨を逸脱しない範囲で種々変形が可能である。
【００３７】
ここで本実施形態の変形例として、図９に示すように、展示部２Ａを、展示物を載置し得る棚板２５Ａを有する棚部２５０を具備するものとしてもよい。なお当該変形例において、上記実施形態と同様の構成を有するものには同様の符合を付し詳細な説明を省略する。展示部２Ａは、上述同様の支柱２１間に、複数のフックを設けたフック棒２５１と３枚ずつ連結した棚板２５２を２段に亘って計６枚取り付けたものである。なお当該フック棒２５１並びに棚板２５２を取り付ける具体的な構造に至っては既存の種々の構成を採用し得るので詳細な説明を省略するものとする。斯かる構成により本発明に係る天板付家具は、展示物を好適に載置し得る販売用ワゴンＷの態様を実現し得ている。
【００３８】
その他、各部の具体的構成についても上記実施形態に限られるものではなく、本発明の趣旨を逸脱しない範囲で種々変形が可能である。
【図面の簡単な説明】
【００３９】
【図１】本発明の一実施形態に係る販売用ワゴンの使用姿勢を示す外観図。
【図２】同正面図。
【図３】同側面図。
【図４】同実施形態に係る販売用ワゴンの重合姿勢を示す外観図。
【図５】同構成説明図。
【図６】同側面図。
【図７】同正面図。
【図８】同底面図。
【図９】同実施形態の変形例に係る外観図。
【符号の説明】
【００４０】
１…天板部
１０…天板部材
１０ｈ…ヒンジ
１０ａ…接合部
１００…キャスタ収容空間
２、２Ａ…展示部
２５…フック取付板
２５０…棚部
３…脚部
３０…脚部材
３３…架設材
４…キャスタ部
４０…キャスタ
４１…接地部
Ｃ…重合姿勢
Ｓ…収容空間
Ｔ…使用姿勢
【図１】
2008061662.tif 000003
【図２】
2008061662.tif 000004
【図３】
2008061662.tif 000005
【図４】
2008061662.tif 000006
【図５】
2008061662.tif 000007
【図６】
2008061662.tif 000008
【図７】
2008061662.tif 000009
【図８】
2008061662.tif 000010
【図９】
2008061662.tif 000011